(57)【特許請求の範囲】
【請求項１】
帯状に連続した袋用の把手紐を製造する把手製造装置の末端部に設置され、製造された帯状の把手紐をストックすると共に、製袋機に前記把手紐を供給する把手紐保留装置であって、前記把手紐が交互に巻回される複数の位置固定ロール及び移動ロールを備え、前記移動ロールは、前記位置固定ロールの下方に昇降可能に設置されると共に、巻回された把手紐の張力で支持されて下降が規制され、前記移動ロールが適正高さの下端位置に達したことを検出したとき、前記把手製造装置の駆動部の制御装置に検出信号を送って、前記製袋機の運転速度に応じて制御されている前記駆動部の運転速度を設定比率分減速させるセンサーを設けると共に、前記移動ロールが適正高さの上端位置に達したことを検出したとき、前記把手製造装置の駆動部の制御装置に検出信号を送って、前記駆動部の運転速度を設定比率分増速させるセンサーを設け、さらに、前記移動ロールが下限位置に達したことを検出したとき、前記把手製造装置の駆動部の制御装置に信号を送って、前記駆動部を停止させるセンサーを設けたことを特徴とする把手紐保留装置。
【請求項２】
前記位置固定ロールは、互いに間隔をあけて平行に配置され、前記移動ロールは、昇降枠に取り付けられ、各位置固定ロール間の間隙の下方に、位置固定ロールと平行に配置されていることを特徴とする請求項１に記載の把手紐保留装置。
【請求項３】
前記昇降枠に、前記移動ロールを上限位置まで押し上げるエアシリンダーが連結されたことを特徴とする請求項２に記載の把手紐保留装置。
【発明の詳細な説明】
【技術分野】
【０００１】
本発明は、帯状に連続した袋用の把手紐を製造する把手製造装置の末端部に設置され、製造された帯状の把手紐をストックして製袋機へ供給する把手紐保留装置に関する。
【背景技術】
【０００２】
紙袋は、袋本体の上端部に一対の紐を取り付けて把手としてあるが、紙袋に収容した物品の重量で袋本体が破れるのを防ぐために、湾曲した紐の両端部を２枚の補強紙で挟んで成る把手部を袋本体に貼り付けることが多い。
一般的な把手製造装置は、紐を連続的に蛇行させて、湾曲した頂部が両側からはみ出すように帯紙に貼り付け、貼り付けたものを帯紙の中心線に沿って切断して帯状に連続した把手紐を形成する。この把手紐は並設した製袋機に搬送され、製袋機に送られた帯状の把手紐は紐の両側で切断され、得られた把手部が袋本体に取り付けられる。
【０００３】
従来の把手製造装置としては、例えば、特許文献１に記載されたものが知られている。この把手製造装置は、製造された帯状の把手紐を上下に距離をあけて配置したロールに巻回してから製袋機に送り出していた。
しかし、製袋機における袋本体の製造スピードは、袋の種類等により変化するので、どうしても必要とさせる把手紐の長さは一定しない。
上記従来の把手製造装置は、上下のロール間に一定長さの把手紐を保持しているだけなので、把手紐の過不足を解消するためには、製袋作業中に人手による操作で、把手製造装置の運転速度を変更したり、運転を停止しなければならず、生産性が悪かった。
【先行技術文献】
【特許文献】
【０００４】
【特許文献１】特開平１０−０７６５８１号公報
【発明の概要】
【発明が解決しようとする課題】
【０００５】
本発明が解決しようとする課題は、把手製造装置において製造された帯状の袋用把手紐をストックし、ストックした把手紐を常に必要量だけ製袋機へ送り出すことが可能な把手紐保留装置を提供することにある。
【課題を解決するための手段】
【０００６】
本発明は、帯状に連続した袋用の把手紐を製造する把手製造装置の末端部に設置され、製造された帯状の把手紐をストックすると共に、製袋機に前記把手紐を供給する把手紐保留装置に関し、前記把手紐が交互に巻回される複数の位置固定ロール及び移動ロールを備え、前記移動ロールは、前記位置固定ロールの下方に昇降可能に設置されると共に、巻回された把手紐の張力で支持されて下降が規制され、前記移動ロールが適正高さの下端位置に達したことを検出したとき、前記把手製造装置の駆動部の制御装置に検出信号を送って、前記製袋機の運転速度に応じて制御されている前記駆動部の運転速度を設定比率分減速させるセンサーを設けると共に、前記移動ロールが適正高さの上端位置に達したことを検出したとき、前記把手製造装置の駆動部の制御装置に検出信号を送って、前記駆動部の運転速度を設定比率分増速させるセンサーを設け、さらに、前記移動ロールが下限位置に達したことを検出したとき、前記把手製造装置の駆動部の制御装置に検出信号を送って、前記駆動部を停止させるセンサーを設ける。
前記位置固定ロールは、互いに間隔をあけて平行に固定され、前記移動ロールは、昇降枠に取り付けられ、各位置固定ロール間の間隙の下方に、位置固定ロールと平行に配置されるとよい。
前記昇降枠に、移動ロールを上限位置まで押し上げるエアシリンダーが連結されることがある。
【発明の効果】
【０００７】
本発明によれば、把手製造装置において製造された帯状の把手紐を、複数の位置固定ロール及び移動ロールに交互に巻き付けて保持するので、多量の把手紐をストックすることが可能であり、移動ロールが昇降して把手紐の過不足を吸収するため、常に必要な量の把手紐を製袋機に供給することができる。
【図面の簡単な説明】
【０００８】
【図１】本発明の実施例に係る把手製造装置の側面図である。
【図２】本発明の実施例に係る把手紐の平面図である。
【図３】本発明の実施例に係る切断装置の斜視図である。
【図４】本発明の実施例に係る切断装置の側面図である。
【図５】本発明の実施例を示す把手紐保留装置の斜視図である。
【図６】本発明の実施例を示す把手紐保留装置のストック量が少量の時の側面図である。
【図７】本発明の実施例を示す把手紐保留装置のストック量が多量の時の側面図である。
【図８】本発明の実施例を示す把手紐保留装置の正面図である。
【発明を実施するための形態】
【０００９】
以下、本発明の実施例を図面に基づいて詳細に説明する。
図１は、本発明に係る把手製造装置Ａを示す。
把手製造装置Ａは、製袋機に並設され、紐引出し装置ａと、紐掛部ｂと、接着部ｃと、切断装置ｄと、把手紐保留装置ｅとを備える。
紐引出し装置ａは、ロール状に巻いた把手用の紐Ｂを引き出して紐掛部ｂへ送り込み、紐掛部ｂは、紐Ｂを連続して蛇行した状態で接着部ｃへ案内する。接着部ｃは、長手方向に沿って搬送される２枚の帯紙Ｃの間に蛇行した紐Ｂを挟んで接合して積層体Ｅ（図２参照）を形成し、切断装置ｄは、積層体Ｅを中心線Ｌに沿って切断して、帯状に連続した把手紐Ｄを形成する。把手紐Ｄは、把手紐保留装置ｅにストックしておき、製袋機の生産速度に合わせて、把手搬送装置により把手紐保留装置ｅから製袋機へ搬送される。製袋機へ搬送された把手紐Ｄは紐Ｂの両側の位置Ｗで所定の長さに切断され、袋本体に取り付けられる。
【００１０】
図３及び図４に示すように、切断装置ｄは、モータ９で駆動される円形の切断刃１０と、外周囲に沿って受け溝１１が形成された受けローラ１２とを備え、切断刃１０と受けローラ１２の受け溝１１とが対向している。
２枚の帯紙Ｃと紐Ｂを接着した積層体Ｅが、回転する切断刃１０と受けローラ１２の間に、切断刃１０が幅方向中央に位置するよう送り込まれる。積層体Ｅは、切断装置ｄを通過する際に、切断刃１０により中心線Ｌに沿って切断される。
【００１１】
図５に示すように、把手紐保留装置ｅは、切断装置ｄの両側に立設された一対の側板１と、側板１の上端部間に配設された三つの位置固定ロール２と、側板１間に配設された二つの移動ロール３と、側板１の下端部間に配設されたガイドロール４とを備える。
両側の側板１の上端部内面には、互いに対向する横枠５が固定され、対向する横枠５に位置固定ロール２の中心軸２ａの両端が取り付けられる。各位置固定ロール２の外周面の軸方向中央には、周方向に沿ってフランジ２ｂが形成されている。
図６及び図７に示すように、三つの位置固定ロール２は、位置固定ロール２の直径よりやや狭い間隔をあけて、且つ、中心軸２ａが平行になるよう全て同じ高さに配置され、その位置を動かずに回転する。
【００１２】
両側の側板１には上下方向に延びるガイド孔６が形成され、横枠５の下方において、側板１の内面には対向する一対の昇降枠７がガイド孔６に沿って摺動可能に設けられる。また、対向する昇降枠７には、移動ロール３の中心軸３ａの両端が取り付けられる。移動ロール３の外周面の軸方向中央には、周方向に沿ってフランジ３ｂが形成されている。
移動ロール３は、位置固定ロール２間の隙間の直下に、位置固定ロール２と平行に配置される。そして、昇降枠７の昇降に伴って、全ての移動ロール３が同時に位置固定ロール２に接離する。
側板１の下端部間には下枠８が架設され、下枠８にガイドロール４が回動自在に取り付けられる。ガイドロール４は、移動ロールの下限位置よりも下方に、位置固定ロール２及び移動ロール３と平行に配置される。
【００１３】
昇降枠７にはエアシリンダーが連結され、このエアシリンダーを駆動することにより昇降枠７が上限位置まで上昇し、エアシリンダーのエア圧を抜くと自重によって昇降枠７が下降するようになっている。
また、昇降枠７の移動経路に臨んで、移動ロール３の位置を検出する第１〜第４センサー１３，１４，１５，１６が設置されている。第１センサー１３は移動ロール３の上限位置に設置され、第２センサー１４は移動ロール３の適正高さの上端位置に設置され、第３センサー１５は移動ロール３の適正高さの下端に設置され、第４センサー１６は移動ロール３の下限位置に設置される。
【００１４】
第１〜第４センサー１３，１４，１５，１６の検出信号は把手製造装置Ａの駆動部（紐引出し装置ａ、紐掛部ｂ、接着部ｃ等の駆動部）を制御する制御装置に送られ、制御装置は、送られた検出信号に基づいてこれら駆動部の運転速度を制御する。なお、切断装置ｄのモータ９は、把手製造装置Ａの他部の運転速度に一定比率を乗じた速度で駆動され、切断刃１０が把手製造装置Ａにおける積層体Ｅ及び把手紐Ｄの搬送速度より一定比率増した速度で回転して、切断刃１０に過大な負荷が加わらないようになっている。
また、把手製造装置Ａの駆動部を制御する制御装置には、製袋機の運転速度データも送られる。
【００１５】
把手製造装置Ａの運転を開始すると、エアシリンダーが昇降枠７を押し上げて、移動ロール３を位置固定ロール２に最も接近させる。また、移動ロール３が上限位置に達して、第１センサー１３が移動ロール３を検出すると把手製造装置Ａの駆動部が駆動を開始する。運転当初における把手製造装置Ａの運転速度は、製袋機の運転速度に応じて制御される。
把手製造装置Ａによる製造が進行し、把手紐Ｄが把手紐保留装置ｅに送り込まれると、図６に示すように、把手紐Ｄは、人手によって、ガイドロール４を通して、一側の位置固定ロール２の外周に上方から巻き付けられ、さらに下方へ延ばされて、一側の位置固定ロール２と中央の位置固定ロール２との間の下方に配置された移動ロール３に下方から巻き付けられる。
【００１６】
その後、把手紐Ｄは上方へ延ばされて中央の位置固定ロール２に上方から巻き付けられ、さらに下方へ延ばされ、中央の位置固定ロール２と他側の位置固定ロール２との間の下方に配置された移動ロール３に下方から巻回される。
次いで、把手紐Ｄは上方へ延ばされて他側の位置固定ロール２に上方から巻き付けられる。即ち、把手紐Ｄは位置固定ロール２と移動ロール３に交互に巻き付けられる。この時、移動ロール３と位置固定ロール２との距離が短いので、把手紐Ｄを位置固定ロール２及び移動ロール３に巻き付けやすい。
【００１７】
切断装置ｄを通過する際に、蛇行した紐Ｂが貼着された帯紙Ｃは中心線Ｌに沿って切断され、左右の把手紐Ｄに分離される。そして、図８に示すように、左右の把手紐Ｄはそれぞれ位置固定ロール２のフランジ２ｂ及び移動ロール３のフランジ３ｂの両側に、紐Ｂの頂点を外側に向けて巻き付けられる。
移動ロール３及び位置固定ロール２に把手紐Ｄを交互に巻き付けたら、エアシリンダーのエア圧を抜く。しかし、移動ロール３は巻き付けられた把手紐Ｄの張力で支えられて下降が規制される。
【００１８】
把手製造装置Ａによる把手紐Ｄの製造が進行し、把手紐保留装置ｅにストックされた把手紐Ｄの量が増えると、移動ロール３に巻き付けられた把手紐Ｄが緩むので、昇降枠７及び移動ロール３は次第に下降する。把手紐保留装置ｅに一定量以上の把手紐Ｄがストックされたら、把手紐Ｄの先端を製袋機に送る。
把手紐保留装置ｅに保持された左右の把手紐Ｄは、それぞれ別のルートを通って把手搬送装置へ送り込まれる。
【００１９】
移動ロール３が次第に下降して第３センサー１５が移動ロール３を検出すると、把手紐Ｄのストック量が規定量に達したとして、把手製造装置Ａの駆動部の速度を設定比率分減速させる。本実施例では、設定比率を２．２％程度としてある。
一方、運転中に、第２センサー１４が移動ロール３を検出したら、把手紐Ｄのストック量が規定量より少なくなったとして、把手製造装置Ａの駆動部の速度を設定比率（約２．２％）分増速させ、製袋機の運転速度に応じた運転当初の速度に戻る。
従って、通常の運転時には、移動ロール３が第３センサー１５と第２センサー１４の間の高さを維持するよう、把手製造装置Ａの運転速度が制御される。
【００２０】
また、第４センサー１６は安全装置として働き、図７に示すように、移動ロール３が下限位置に達して、第４センサー１６が移動ロール３を検出したら、把手紐Ｄのストック量が満量であるとして、把手製造装置Ａは停止する。
把手製造装置Ａが運転を停止しても、製袋機は運転を継続し、把手紐保留装置ｅから製袋機に向けて把手紐Ｄが供給されるので、把手紐保留装置ｅにおける把手紐Ｄのストック量は少なくなり、移動ロール３が次第に上昇する。
そして、第３センサー１５が移動ロール３を検出したら、把手紐Ｄのストック量が規定量に達したとして、把手製造装置Ａの運転を再開する。
このように、把手紐保留装置ｅにおける把手紐Ｄのストック量に応じて、把手製造装置Ａの製造速度を調整することが可能であり、ストックされた把手紐Ｄを常に必要な量だけ製袋機へ送ることができる。
【符号の説明】
【００２１】
Ａ    把手製造装置
Ｂ    紐
Ｂ’  紐ロール
Ｃ    帯紙
Ｄ    把手紐
Ｅ    積層体
ａ    紐引出し装置
ｂ    紐掛部
ｃ    接着部
ｄ    切断装置
ｅ    把手紐保留装置
１    側板
２    位置固定ロール
２ａ  中心軸
２ｂ  フランジ
３    移動ロール
３ａ  中心軸
３ｂ  フランジ
４    ガイドロール
５    横枠
６    ガイド孔
７    昇降枠
８    下枠
９    モータ
１０  切断刃
１１  受け溝
１２  受けローラ
１３  第１センサー
１４  第２センサー
１５  第３センサー
１６  第４センサー
【要約】
【課題】把手製造装置において製造された帯状の袋用把手紐をストックし、ストックした把手紐を常に必要量だけ製袋機へ送り出すことが可能な把手紐保留装置を提供すること。
【解決手段】帯状の把手紐Ｄが交互に巻回される複数の位置固定ロール２及び移動ロール３を備え、移動ロール３は、位置固定ロール２の下方に昇降可能に設置され、巻回された把手紐Ｄの張力で支持されて下降が規制される。
【選択図】図７【図１】
0006043447.tif 000002
【図２】
0006043447.tif 000003
【図３】
0006043447.tif 000004
【図４】
0006043447.tif 000005
【図５】
0006043447.tif 000006
【図６】
0006043447.tif 000007
【図７】
0006043447.tif 000008
【図８】
0006043447.tif 000009